(57)【特許請求の範囲】
【請求項１】
プラスチックで成形された半円筒体の両端縁に半円板を一体に形成し、該半円筒体の一対を相対向させて組着することにより円筒状の胴部を形成し、該胴部の両端にプラスチック製のフランジを嵌着し、該胴部内に貫挿した連結軸の両端を該フランジに止着することにより組み立てられるプラスチック製巻回ドラムであって、半円筒体の内面の両半割部付近に係合片を一方は半割部外に突出状に形成し他方は半割部内にて位置をずらして形成し、該半円筒体の一対を相対向させて組着することにより該各係合片を一直線上に交互に並ばせるとともに、前記半円板の半割部付近に開設した透孔から前記連結軸を該各係合片に串通することで両半円筒体を縫合状に固着したことを特徴とするプラスチック製巻回ドラム。
【請求項２】
プラスチックで成形された一対の半円筒体を相対向させて組着することにより円筒状の胴部を形成し、該胴部の両端にプラスチック製のフランジを嵌着し、該胴部内に貫挿した連結軸の両端を該フランジに止着することにより組み立てられるプラスチック製巻回ドラムであって、半円筒体の外周面の両半割部付近を内側凹窪状に形成したことを特徴とするプラスチック製巻回ドラム。
【発明の詳細な説明】
【０００１】
【発明の属する技術分野】
本発明は、電線，ワイヤ，帯状物等の索条を巻回するための主要部品をプラスチック製とした巻回ドラムの構造に関するものである。
【０００２】
【従来の技術】
例えば特開平５−２５４７３６等の特許公報により知られたプラスチック製の巻回ドラムは、プラスチックで成形された一対の半円筒体を相対向させて組着することにより円筒状の胴部を形成し、該胴部の両端にプラスチック製のフランジを嵌着してなるものである。
【０００３】
【発明が解決しようとする課題】
ところで、上記巻回ドラムでは、胴部の両端はフランジによって挟まれているものの中央部分はフリー状態であったため、大きな外力が加わると変形し、半割面が開いたり、ずれてしまうおそれがあった。
また、上記半割面が開いたり、ずれると電線等の巻回物を傷つけるおそれがあった。
【０００４】
本発明は、上述に鑑みてなされたもので、胴部を堅牢に構成し、半割面が開いたりするおそれのないプラスチック製巻回ドラムを提供しようとするものである。
また、本発明は上記胴部がたとえ少しばかり変形するようなことがあっても、巻回物を傷付けるおそれのない巻回ドラムを提供しようとするものである。
【０００５】
【課題を解決するための手段】
そのために本発明は、プラスチックで成形された半円筒体の両端縁に半円板を一体に形成し、該半円筒体の一対を相対向させて組着することにより円筒状の胴部を形成し、該胴部の両端にプラスチック製のフランジを嵌着し、該胴部内に貫挿した連結軸の両端を該フランジに止着することにより組み立てられるプラスチック製巻回ドラムであって、半円筒体の内面の両半割部付近に係合片を一方は半割部外に突出状に形成し他方は半割部内にて位置をずらして形成し、該半円筒体の一対を相対向させて組着することにより該各係合片を一直線上に交互に並ばせるとともに、前記半円板の半割部付近に開設した透孔から前記連結軸を該各係合片に串通することで両半円筒体を縫合状に固着したことを特徴とする。
【０００６】
また本発明は、プラスチックで成形された一対の半円筒体を相対向させて組着することにより円筒状の胴部を形成し、該胴部の両端にプラスチック製のフランジを嵌着し、該胴部内に貫挿した連結軸の両端を該フランジに止着することにより組み立てられるプラスチック製巻回ドラムであって、半円筒体の外周面の両半割部付近を内側凹窪状に形成したことを特徴とする。
【０００７】
【発明の実施の形態】
次に図面に従い本発明の実施の形態を説明する。図１は本発明に係るプラスチック製巻回ドラムの縦断面図、図２は側面図、図３は横断面図、図４は図３のＡ−Ａ線断面拡大図である。図中、１はプラスチックの射出成形によって成形された一対の半円筒体１ａ，１ｂを相対向させて組着することにより円筒状に形成される胴部、２ａ，２ｂは該胴部の両端に嵌着されたプラスチック製のフランジ、３ａ〜３ｄは該胴部内に貫挿し両端を該フランジに止着することによりこれらを連結し巻回ドラムに組み立てているボルト，ナットからなる連結軸である。
【０００８】
上記半円筒体１ａ，１ｂは、図５〜図７に示したように、内周面に適宜間隔で補強リブ１０が一体に形成され、両端縁には半円板１１が一体に形成され、該半円板の中心に半円孔１２が形成され、該半円板の外面にも補強リブ１３が一体に形成される。そして該半円筒体の内面の一方の半割部１４付近に複数の係合片１５を先端部が半割部外に突出状なるように形成し、該係合片の突出部分に透孔１６を開設するとともに、他方の半割部１７付近には複数の係合片１８を半割部内にて位置をずらして形成し、該係合片の半割部内の部分に透孔１９を開設する。また、両半円板１１の半割部１７付近に透孔１９と一連となる透孔２０を開設するとともに、中央部外周寄りに透孔２１を開設する。また、該半円筒体１ａ，１ｂの外周面中央部に縦孔２７を形成することにより補強リブ１０に透孔２２を開設する。２３は該半円筒体１ａ，１ｂの外周面両端縁に一体に形成された係合用の突起である。また、２４は半円板１１の半割面の半部に突設された係止ピン、２５は該半割面の他の半部に形成された係合孔である。また、２６は半円板１１に開設された水抜孔である。
【０００９】
一方、フランジ２ａ，２ｂは、内側面に胴部１の両端が嵌着される環状窪部３０を中心孔３１と同心状に形成し、該環状窪部に前記連結軸３ａ〜３ｄを貫通するための透孔３２を開設するとともに、該環状窪部３０の外周の一部に前記突起２３が嵌着し得る拡部３３を形成し、外側面には網目状に補強リブ３４を一体に形成してなる。
【００１０】
そして、半円筒体１ａ，１ｂを相対向させ係止ピン２４を係合孔２５に遊嵌し組着することにより上記各係合片１５，１８が一直線上に交互に並び、その透孔１６，１９および前記透孔２０が一直線上に連なるようにし、該胴部１の両端をフランジ２ａ，２ｂの環状窪部３０中に遊嵌し、拡部３３に突起２３を嵌着するとともに、図４に示したように透孔３２に貫通した連結軸３ａ，３ｃを半円板１１の透孔２０と該各係合片１５，１８の透孔１６，１９に串通し、該連結軸３ａ，３ｃの両端を該フランジ２ａ，２ｂの外側面に係合させるべくナット締めすることで、該連結軸３ａ，３ｃにより両半円筒体が縫合状に固着されようにする。また、連結軸３ｂ，３ｄは透孔３２より透孔２１，２２に貫挿し両端を該フランジ２ａ，２ｂの外側面に係合させるべくナット締めする。
【００１１】
このように胴部１は、連結軸３ａ，３ｃを半円板１１に開設された透孔２０から各係合片１５，１８に串通することにより、両半円筒体１ａ，１ｂを互いに固着してなるので、両半円筒体１ａ，１ｂが該連結軸３ａ，３ｃを介し各係合片１５，１８によって強固に連結されるとともに、半円板１１の半割部付近も該連結軸３ａ，３ｃに連結されることから、組付ガタが生じることもなく頗る強固に連結され、該胴部１に強い外力が掛っても両半円筒体１ａ，１ｂは半割面が開いたり、ずれたりすることがない。なお、内周面に補強リブ１０を一体に成形していることも強度を維持している。
【００１２】
また、半円筒体１ａ，１ｂの外周面両端部に突起２３が形成され、該突起をフランジ２ａ，２ｂの拡部３３に嵌着することで、該フランジの位置決め，回り止めがされるようにしたので、従来この位置決めはドラムの内側で行われていて組立時に視認性が悪かったことが改善され、組立作業を容易にする利点がある。
【００１３】
また、図８は、両半円筒体１ａ，１ｂの外周面の両半割部１４，１７付近を円弧状に切欠くことにより内側に凹窪する窪部３５が形成されるようにした胴部を示し、このように該半割部付近を内側凹窪状に形成することでは、両半円筒体１ａ，１ｂの半割面が多少開いたり、ずれたりしたとしても、そのエッジが外周に突出することがなく、これによって電線等の巻回物に傷を付けるおそれをなくすことができる。
【００１４】
【発明の効果】
このように本発明のプラスチック製巻回ドラムは、半円筒体の内面の両半割部付近に係合片を一方は半割部外に突出状に形成し他方は半割部内に形成し、該半円筒体の一対を相対向させて組着することにより該各係合片が一直線上に並び、該各係合片に前記連結軸を串通することで両半円筒体を縫合状に固着することにより、頗る堅牢な胴部が形成されるものであるので、外力や経年変形に耐えられる頑強な製品を提供できる。また本発明は、半円筒体の外周面の両半割部付近を内側凹窪状に形成することにより、たとえ変形しても電線等の巻回物を傷付けるおそれがないなど有益な効果がある。
【図面の簡単な説明】
【図１】  本発明に係るプラスチック製巻回ドラムの実施形態を示す縦断面図。
【図２】  図１の巻回ドラムの側面図。
【図３】  図１の巻回ドラムの横断面図。
【図４】  図３のＡ−Ａ線断面拡大図。
【図５】  図１の巻回ドラムの胴部の分解斜視図。
【図６】  図１の巻回ドラムの胴部の分解状態の縦断面図。
【図７】  図１の巻回ドラムの胴部の分解状態の横断面図。
【図８】  図１の巻回ドラムの胴部の部分拡大横断面図。
【符号の説明】
１              胴部
１ａ，１ｂ      半円筒体
２ａ，２ｂ      フランジ
３ａ〜３ｄ      連結軸
１４，１７      半割部
１５，１８      係合片
１６，１９      透孔
２０            透孔
２３            突起
３５            窪部
【図１】
0003864079.tif 000002
【図２】
0003864079.tif 000003
【図３】
0003864079.tif 000004
【図４】
0003864079.tif 000005
【図５】
0003864079.tif 000006
【図６】
0003864079.tif 000007
【図７】
0003864079.tif 000008
【図８】
0003864079.tif 000009